(57)【要約】【課題】地域の水利状況を容易に把握することができ、水利の設置状況が不十分な地域を容易に検出することができる水利勢力図を作成する。【解決手段】地域の建物の位置が記録された地図情報１０９と、地域の水利の位置が記録された水利情報１１０とを記憶する記憶装置１０３と、入力装置１０１を介して指示された地域の地図を出力装置１０４に表示する地図表示手段１０５と、地域に存在する複数の建物の各々につき、地図情報１０９及び水利情報１１０に基づいて、各建物から水利までの最短距離を算出し、算出された最短距離の平均値を算出して統計情報を生成する統計情報生成手段１０７と、統計情報生成手段１０７で生成された統計情報を、出力装置１０４に表示された地図上に表示する統計情報表示手段１０８とを備えることを特徴とする水利勢力図作成装置。【選択図】図１
2008129551.tif 000002
【特許請求の範囲】
【請求項１】
指定された地域の水利勢力図を作成する水利勢力図作成装置であって、
前記地域の建物の位置が記録された地図情報と、前記地域の水利の位置が記録された水利情報とを記憶する記憶手段と、
前記地図情報及び前記水利情報に基づいて、前記地域に存在する複数の建物から前記水利までの水利距離を算出し、算出された水利距離の平均値を算出して統計情報を生成する統計情報生成手段と、
該統計情報生成手段で生成された統計情報を地図上に表示する統計情報表示手段とを備えることを特徴とする水利勢力図作成装置。
【請求項２】
前記統計情報生成手段は、前記複数の建物の各々について、建物毎に前記水利距離を算出することを特徴とする請求項１に記載の水利勢力図作成装置。
【請求項３】
前記統計情報生成手段は、前記地域に複数の水利が存在するときに、前記複数の建物から前記複数の水利の各々までの水利距離を算出するとともに、算出された複数の水利距離の中から最短距離を特定し、特定した最短距離を用いて前記平均値を算出することを特徴とする請求項１又は２に記載の水利勢力図作成装置。
【請求項４】
前記統計情報生成手段は、前記複数の建物を中心とした所定の範囲内に前記水利が存在するか否かを判定し、
前記統計情報表示手段は、前記水利が存在しない建物を前記水利が存在する建物と異なる表示態様で表示することを特徴とする請求項１、２又は３に記載の水利勢力図作成装置。
【請求項５】
前記記憶手段は、前記地域の道路が記録された道路情報を記憶し、
前記統計情報生成手段は、前記道路情報に基づいて前記水利距離を算出することを特徴とする請求項１乃至４のいずれかに記載の水利勢力図作成装置。
【請求項６】
前記統計情報生成手段は、前記地図情報及び前記水利情報に基づいて算出した前記水利距離距離が、所定の距離以下であるか否かを判定し、所定の距離より長いときに、前記道路情報に基づいて前記水利距離を算出することを特徴とする請求項５に記載の水利勢力図作成装置。
【請求項７】
指定された地域の水利勢力図を作成する水利勢力図作成方法であって、
前記地域の建物の位置が記録された地図情報と、前記地域の水利の位置が記録された水利情報とを読み出す工程と、
前記地図情報及び前記水利情報に基づいて、前記地域に存在する複数の建物から前記水利までの水利距離を算出し、算出された水利距離の平均値を算出して統計情報を生成する工程と、
生成された統計情報を地図上に表示する工程とを有することを特徴とする水利勢力図作成方法。
【請求項８】
指定された地域の水利勢力図を作成するためのプログラムであって、
前記地域の建物の位置が記録された地図情報と、前記地域の水利の位置が記録された水利情報とを読み出す工程と、
前記地図情報及び前記水利情報に基づいて、前記地域に存在する複数の建物から前記水利までの水利距離を算出し、算出された水利距離の平均値を算出して統計情報を生成する工程と、
生成された統計情報を地図上に表示する工程とを実行させることを特徴とするプログラム。
【請求項９】
請求項８に記載されたプログラムが記録された記録媒体。
【発明の詳細な説明】
【技術分野】
【０００１】
本発明は、地域の水利状況を示す水利勢力図を作成する水利勢力図作成装置等に関し、特に、地域の水利状況を容易に把握することができる水利勢力図を作成する水利勢力図作成装置等に関する。
【背景技術】
【０００２】
全国各地に消火栓や防火水槽等の水利が設置され、消火活動に利用されている。それらの水利は、１つの地域内に複数設置されるのが一般的であるが、火災による被害を最小限に抑えるためには、消火活動に際して、火災現場周辺の水利の設置状況を速やかに把握し、その火災現場で用いるのに最も有効な水利を選択して、消火活動を行う必要がある。
【０００３】
そこで、例えば、特許文献１には、地図画像データを格納する記憶手段と、火災現場の周辺地図を、記憶手段に格納された地図画像データから検索して出力する地図検索手段と、消化栓等の水利の状況を表す水利状況データと、道路や建物等の障害状況データとを用いて、火災現場で使用するのに最適な水利を表す水利勢力図を作成する水利勢力図作成手段と、水利勢力図に基づいて消火活動の指令書を作成する指令伝送手段とを備える緊急出動指令システムが提案されている。
【特許文献１】特開２００６−１５３９１１号公報
【発明の開示】
【発明が解決しようとする課題】
【０００４】
上記特許文献１の緊急出動指令システムによれば、最適な水利を迅速に選択して消火活動を行うことが可能となる。しかしながら、消火栓や防火水槽等の設置に際しては、現場の状況や経験則等からその数や位置が決定されることがあり、全国各地において、水利の設置状況が火災の発生に対して万全であるとは限らない。このため、例えば、火災現場の近辺に消火栓等が設置されていないなど、水利の設置状況が不十分な地域においては、水利の選択を如何に行ったとしても、火災による被害を最小限に抑えることが困難となる。
【０００５】
そのような状況を改善するには、水利の設置状況が不十分な地域を的確に把握し、そのような地域に水利施設を補充して、火災対策を充実させていくことが重要となるが、水利の設置位置が記された地図等を参照しても、十分な数の水利が設置されているか、また、それらが最適な配置で設置されているかなどを判断することは困難であった。
【０００６】
そこで、本発明は、上記従来の技術における問題点に鑑みてなされたものであって、地域の水利状況を容易に把握することができ、水利の設置状況が不十分な地域を容易に検出することができる水利勢力図作成装置等を提供することを目的とする。
【課題を解決するための手段】
【０００７】
上記目的を達成するため、本発明は、指定された地域の水利勢力図を作成する水利勢力図作成装置であって、前記地域の建物の位置が記録された地図情報と、前記地域の水利の位置が記録された水利情報とを記憶する記憶手段と、前記地図情報及び前記水利情報に基づいて、前記地域に存在する複数の建物から前記水利までの水利距離を算出し、算出された水利距離の平均値を算出して統計情報を生成する統計情報生成手段と、該統計情報生成手段で生成された統計情報を地図上に表示する統計情報表示手段とを備えることを特徴とする。
【０００８】
そして、本発明によれば、指定された地域の水利状況を示す統計情報が、その地域の地図上に重ねて表示されるため、その地域に既設の建物に対する水利施設の密度や、最適な配置で水利が設置されているかなどを一目で把握することができる。従って、地域の水利状況を容易を把握することが可能となり、水利の設置状況が不十分な地域を容易に検出することが可能となる。
【０００９】
前記水利勢力図作成装置において、前記統計情報生成手段が、前記複数の建物の各々について、建物毎に前記水利距離を算出するように構成することができる。上記構成によれば、建物毎に算出された水利距離に基づいて統計情報が生成されるため、その地域の水利状況を正確に反映させた水利勢力図を作成することが可能となる。
【００１０】
前記水利勢力図作成装置において、前記統計情報生成手段が、前記地域に複数の水利が存在するときに、前記複数の建物から前記複数の水利の各々までの水利距離を算出するとともに、算出された複数の水利距離の中から最短距離を特定し、特定した最短距離を用いて前記平均値を算出するように構成することができる。上記構成によれば、水利までの最短距離に基づいて統計情報が生成されるため、実際の消火活動に適した水利勢力図を作成することが可能となる。
【００１１】
前記水利勢力図作成装置において、前記統計情報生成手段が、前記複数の建物を中心とした所定の範囲内に前記水利が存在するか否かを判定し、前記統計情報表示手段は、前記水利が存在しない建物を前記水利が存在する建物と異なる表示態様で表示するように構成することができる。上記構成によれば、水利の設置状況が不十分な建物を容易に把握することが可能となる。
【００１２】
前記水利勢力図作成装置において、前記記憶手段が、前記地域の道路が記録された道路情報を記憶し、前記統計情報生成手段が、前記道路情報に基づいて前記水利距離を算出するように構成することができる。上記構成によれば、実際に消火活動を行うときに必要な移動距離を正確に算出することが可能となり、実際の消火活動に適した水利勢力図を作成することが可能となる。
【００１３】
前記水利勢力図作成装置において、前記統計情報生成手段が、前記地図情報及び前記水利情報に基づいて算出した前記水利距離距離が、所定の距離以下であるか否かを判定し、所定の距離より長いときに、前記道路情報に基づいて前記水利距離を算出するように構成することができる。上記構成によれば、建物から水利までの水利距離が所定の距離よりも大きいときに限って、道路情報に基づいた算出処理が行われるため、実際の消火活動に適した水利勢力図を作成することが可能となる。
【００１４】
また、本発明は、指定された地域の水利勢力図を作成する水利勢力図作成方法であって、前記地域の建物の位置が記録された地図情報と、前記地域の水利の位置が記録された水利情報とを読み出す工程と、前記地図情報及び前記水利情報に基づいて、前記地域に存在する複数の建物から前記水利までの水利距離を算出し、算出された水利距離の平均値を算出して統計情報を生成する工程と、生成された統計情報を地図上に表示する工程とを有することを特徴とする。上記構成によれば、前記発明と同様に、地域の水利状況を容易を把握することが可能となり、水利の設置状況が不十分な地域を容易に検出することが可能となる。
【００１５】
さらに、本発明は、指定された地域の水利勢力図を作成するためのプログラムであって、前記地域の建物の位置が記録された地図情報と、前記地域の水利の位置が記録された水利情報とを読み出す工程と、前記地図情報及び前記水利情報に基づいて、前記地域に存在する複数の建物から前記水利までの水利距離を算出し、算出された水利距離の平均値を算出して統計情報を生成する工程と、生成された統計情報を地図上に表示する工程とを実行させることを特徴とする。上記構成によれば、前記発明と同様に、地域の水利状況を容易を把握することが可能となり、水利の設置状況が不十分な地域を容易に検出することが可能となる。
【００１６】
また、本発明は、指定された地域の水利勢力図を作成するためのプログラムが記録された記録媒体であって、前記地域の建物の位置が記録された地図情報と、前記地域の水利の位置が記録された水利情報とを読み出す工程と、前記地図情報及び前記水利情報に基づいて、前記地域に存在する複数の建物から前記水利までの水利距離を算出し、算出された水利距離の平均値を算出して統計情報を生成する工程と、生成された統計情報を地図上に表示する工程とを実行させるプログラムが記録されることを特徴とする。上記構成によれば、前記発明と同様に、地域の水利状況を容易を把握することが可能となり、水利の設置状況が不十分な地域を容易に検出することが可能となる。
【発明の効果】
【００１７】
以上のように、本発明によれば、地域の水利状況を容易に把握することが可能となり、水利の設置状況が不十分な地域を容易に検出することが可能となる。
【発明を実施するための最良の形態】
【００１８】
次に、本発明の実施の形態について図面を参照して詳細に説明する。
【００１９】
図１は、本発明にかかる水利勢力図作成装置１００の一実施の形態を示し、この水利勢力図作成装置１００は、キーボード等の入力装置１０１と、プログラム制御により動作するデータ処理装置１０２と、情報を記憶する記憶装置１０３と、ディスプレイ装置や印刷装置等の出力装置１０４等から構成される。
【００２０】
記憶装置１０３は、データ処理装置１０２で実行されるプログラムを記憶するとともに、地図情報１０９及び水利情報１１０を記憶する。地図情報１０９は、全国各地の地図を記録した情報であり、この地図情報１０９には、各地の住所と対応させて、その地域の地形、その地域に既設されている建物の大きさや位置座標等を示す情報が記録される。尚、建物は、地図上に面で表示されるため、建物の位置座標には、その建物の重心位置を用いることが好ましい。水利情報１１０は、全国各地の水利の状況を記録した情報であり、この水利情報１１０には、住所と対応させて、その地域に設置されている消火栓や防水層の位置、消防ホースの接続栓の口径、水容量等を示す情報が記録される。
【００２１】
データ処理装置１０２は、各種の演算を行うＣＰＵであり、地図を表示する地図表示手段１０５と、水利状況を知りたいエリアを選択するためのエリア選択手段１０６と、水利状況を示す統計情報を生成する統計情報生成手段１０７と、統計情報生成手段１０７で生成された統計情報を表示する統計情報表示手段１０８等から構成される。
【００２２】
地図表示手段１０５は、入力装置１０１を介して指定された地域や住所（以下、「地域等」という）に基づいて、記憶装置１０３の地図情報１０９を検索し、指定された地域等の地図情報を読み出して、出力装置１０４に地図を表示する。
【００２３】
エリア選択手段１０６は、地図表示手段１０５によって表示された地図の中から、統計情報の生成を希望するエリアを選択するためのものである。エリアの指定は、出力装置１０４に表示された地図上で、統計情報を知りたいエリアをクリックしたり、タッチすることによって行うことが可能であり、また、統計情報を知りたいエリアの住所を入力することによっても可能である。
【００２４】
統計情報生成手段１０７は、記憶装置１０３の水利情報１１０の中から、エリア選択手段１０６で選択されたエリアの水利情報を読み出し、そのエリア内に存在する建物から水利までの距離等を算出して、統計情報を生成する。統計情報表示手段１０８は、出力装置１０４に表示された地図上に、統計情報生成手段１０７によって生成された統計情報を重ねて表示し、水利勢力図を作成する。
【００２５】
次に、図１の水利勢力図作成装置１００の動作について、図２〜図７を中心に参照して説明する。
【００２６】
水利勢力図の作成にあたっては、まず、入力装置１０１を介して、出力装置１０４に地図表示すべき地域等が指定され、指定された地域等の地図情報が記憶装置１０３の地図情報１０９から読み出される（ステップＳ１）。例えば、地図表示すべき住所として、図３に示すＡ市Ｂ区が指定されたとすると、Ａ市Ｂ区の地形情報と、同地域に存在する建物２００Ａ〜２００Ｄ及び建物２２０Ａ〜２２０Ｃの大きさや位置座標等とが読み出される。
【００２７】
次いで、読み出されたＡ市Ｂ区の地図情報に基づいて、Ａ市Ｂ区の地図が生成され、生成された地図が出力装置１０４に表示される（ステップＳ２）。次いで、エリア選択を要求するメッセージ等が出力装置１０４に表示され、エリア選択手段１０６を介して、統計情報を生成すべきエリアが選択される（ステップＳ３）。統計情報を算出すべき地域として、例えば、Ａ市Ｂ区の１丁目が選択されたとすると、Ａ市Ｂ区１丁目に存在する建物２００Ａ〜２００Ｄを対象として、統計情報の生成処理が実行される（ステップＳ４）。
【００２８】
統計情報の生成処理にあたっては、図４に示すように、まず、記憶装置１０３の水利情報１１０が検索され、Ａ市Ｂ区１丁目に設置されている水利２１０Ａ、２１０Ｂの位置等を示す水利情報が読み出される（ステップＳ１０）。次いで、Ａ市Ｂ区１丁目に存在する建物２００Ａ〜２００Ｄの中から何れか１つの建物が選択される（ステップＳ１１）。この建物の選択は、建物２００Ａ〜２００Ｄのうちのどの建物が選択されてもよく、ここでは、例えば、建物２００Ａが選択されるものとする。
【００２９】
次いで、記憶装置１０３の地図情報１０９から、選択された建物２００Ａの位置情報が読み出され、統計情報生成手段１０７に出力される（ステップＳ１２）。次いで、統計情報生成手段１０７によって、図５に示すように、選択された建物２００Ａの重心位置から半径Ｄｅｓｔ＿ａの円範囲２４０が規定され、その範囲２４０内に存在する水利が検索される（ステップＳ１３）。
【００３０】
次いで、ステップＳ１３の検索処理の結果に基づいて水利の有無が判定され（ステップＳ１４）、水利が存在しない場合には、水利が存在しないことを示すフラグＦｌａｇ＿Ｓの値が「１」に設定される（ステップＳ１５）。
【００３１】
これに対し、水利が存在する場合には、円範囲２４０内に、複数の水利が存在するか否かが判定される（ステップＳ１６）。図５のように、２つの水利２１０Ａ、２１０Ｂが存在する場合には、水利２１０Ａ、２１０Ｂの各々について、建物２００Ａの重心位置から各水利までの距離Ｄｅｓｔが算出される（ステップＳ１７）。距離Ｄｅｓｔの算出に際しては、建物２００Ａの重心位置から各水利までを結んだ直線の長さが算出され、その長さが距離Ｄｅｓｔとされる。尚、その際、地図情報１０９に記録されたＡ市Ｂ区の地形情報も参照し、建物２００Ａから各水利までの間に上り坂や下り坂等の起伏がある場合には、その起伏に沿って線を結び、その線の長さを距離Ｄｅｓｔとするようにしてもよい。ここでは、例えば、建物２００Ａの重心位置から水利２１０Ａまでの距離Ｄｅｓｔ（Ａ）が１００ｍであり、建物２００Ａの重心位置から水利２１０Ｂまでの距離Ｄｅｓｔ（Ｂ）が２００ｍであるとする。
【００３２】
次いで、算出された複数の距離Ｄｅｓｔの中から最短の距離が特定され、最短距離Ｄｅｓｔ＿ｔとして記憶装置１０３に保存される（ステップＳ１８）。建物２００Ａの重心位置から水利２１０Ａまでの距離Ｄｅｓｔ（Ａ）が最短の距離となるため、Ｄｅｓｔ（Ａ）＝１００ｍが最短距離Ｄｅｓｔ＿ｔとして保存される。
【００３３】
これらに対し、円範囲２４０内に存在する水利の数が１つである場合には、選択された建物の重心位置から水利までの距離が算出されるとともに、その算出された距離が最短距離Ｄｅｓｔ＿ｔとして記憶装置１０３に保存される（ステップＳ１９、Ｓ２０）。
【００３４】
ステップＳ１５のフラグ処理、又はステップＳ１８、Ｓ２０の最短距離Ｄｅｓｔ＿ｔの保存処理が終了すると、ステップＳ３で選択されたエリア内に、ステップＳ１２〜Ｓ２０の処理を実行していない他の建物が存在しないか否かが判定される（ステップＳ２１）。ステップＳ１２〜Ｓ２０の処理を実行していない建物が残っている場合には、その中から１つの建物が選択され、上記と同様にして、ステップＳ１２〜Ｓ２０の処理が実行される。これにより、建物２００Ｂ〜２００Ｄについても、建物２００Ａと同様にして、フラグＦｌａｇ＿Ｓの設定処理、又は、最短距離Ｄｅｓｔ＿ｔの保存処理が行われる。こうして、図６に示すように、各建物から水利までの最短距離Ｄｅｓｔ＿ｔとして、建物２００Ｂから水利２１０Ａまでの距離１５０ｍ、建物２００Ｃから水利２１０Ｂまでの距離７５ｍが各々算出され、記憶装置１０３に保存される。一方、建物２００Ｄについては、半径Ｄｅｓｔ＿ａの範囲内に水利が存在しないため、最短距離は記録されず、フラグＦｌａｇ＿Ｓの値が「１」に設定される。
【００３５】
選択されたエリア内に存在するすべての建物に対し、フラグ処理又は最短距離Ｄｅｓｔ＿ｔの保存処理が実行されると、エリア内の各建物について算出された最短距離Ｄｅｓｔ＿ｔが加算され、合計距離Ｄｅｓｔ＿ｊが算出される（ステップＳ２３）。Ａ市Ｂ区１丁目では、建物２００Ａ〜２００Ｃの各最短距離Ｄｅｓｔ＿ｔが１００ｍ、１５０ｍ及び７５ｍであるため、合計距離Ｄｅｓｔ＿ｊは、３２５ｍとなる。
【００３６】
次いで、算出された合計距離Ｄｅｓｔ＿ｊが、エリア内の建物の数で除算され、建物から水利までの平均距離Ｄｅｓｔ＿ａｖｅが算出される（ステップＳ２４）。エリア内の建物２００Ａ〜２００Ｄのうち、水利が存在する建物は、建物２００Ａ〜２００Ｃであるため、ステップＳ２３で算出された合成距離Ｄｅｓｔ＿ａｖｅ＝３２５ｍが「３」で除算され、平均距離Ｄｅｓｔ＿ａｖｅとして、１０８ｍが算出される。
【００３７】
次いで、算出された合成距離Ｄｅｓｔ＿ｊ及び平均距離Ｄｅｓｔ＿ａｖｅが、統計情報として記憶装置１０３に保存される。
【００３８】
統計情報が生成されると、図２に示すように、統計情報表示手段１０８によって、統計情報の表示処理が実行される（ステップＳ５）。表示処理にあたっては、図７に示すように、出力装置１０４に表示された地図に重ねて、算出された合成距離Ｄｅｓｔ＿ｊ及び平均距離Ｄｅｓｔ＿ａｖｅが表示される。また、建物２００Ａ〜２００Ｃの何れかを選択することによって、選択した建物から近くの水利までの経路が矢印線等で表示されるとともに、建物から水利までの距離が矢印線等の近傍に表示される。尚、水利が存在しない建物２００Ｄについては、水利がないことを示すマーキングがなされ、他の建物２００Ａ〜２００Ｃとは異なる表示態様で表示される。
【００３９】
以上説明したように、本実施の形態によれば、エリア内に存在する各建物から水利までの最短距離Ｄｅｓｔ＿ｔを算出して、その平均値Ｄｅｓｔ＿ａｖｅを生成し、そのエリアの地図と重ねて出力装置１０４に表示するため、そのエリアに既設の建物に対する水利施設の密度や、最適な配置で水利が設置されているかなどを一目で把握することができる。従って、水利状況を容易を把握することが可能となり、水利の設置状況が不十分なエリアを容易に検出することが可能となる。
【００４０】
また、本実施の形態によれば、指定されたエリアに既設された建物の各々について、建物毎に水利までの最短距離Ｄｅｓｔ＿ｔを建物単位で算出し、合計距離Ｄｅｓｔ＿ｊ及び平均距離Ｄｅｓｔ＿ａｖｅを算出するため、その地域の水利状況を正確に反映させた水利勢力図を作成することが可能となる。
【００４１】
さらに、本実施の形態によれば、エリア内に複数の水利が設置されているときに、各建物から複数の水利の各々までの距離Ｄｅｓｔを算出し、算出した距離Ｄｅｓｔの中から最短距離Ｄｅｓｔ＿ｔを特定して統計情報を生成するため、実際の消火活動に適した水利勢力図を作成することが可能となる。
【００４２】
また、本実施の形態によれば、建物から一定距離Ｄｅｓｔ＿ａの範囲内に水利が存在するか否かを判定し、水利が存在しない建物については、マーキング等を行って、水利が存在する建物とは異なる表示態様で表示するため、水利の設置状況が不十分な建物を容易に把握することが可能となる。
【００４３】
図８は、本発明にかかる水利勢力図作成装置の第２の実施形態を示し、図８において、図１の水利勢力図作成装置１００と同一の構成要素については、同じ符号を付す。
【００４４】
同図に示すように、水利勢力図作成装置３００は、入力装置１０１と、データ処理装置１０２と、記憶装置１０３とを備え、記憶装置１０３には、地図情報１０９、水利情報１１０及び道路情報３０１が記憶されるとともに、データ処理装置１０２には、地図表示手段１０５、エリア選択手段１０６、統計情報生成手段３０２及び統計情報表示手段１０８が設けられる。
【００４５】
道路情報３０１は、全国各地の道路状況を記録した情報であり、この道路情報３０１には、住所と対応させて、その地域の道路のルートや道路幅等を示す情報が記録される。統計情報生成手段３０２は、建物から水利までの距離を算出するに際し、地図情報１０９、水利情報１１０に基づいて、建物及び水利の位置を特定するとともに、道路情報３０１に基づいて、その建物から水利までのルートを特定し、道路に沿って移動した場合の建物から水利までの距離を算出する。
【００４６】
次に、図８の水利勢力図作成装置３００を用い、統計情報を生成する場合について、図９及び図１０を中心に参照して説明する。尚、図９及び図１０において、図３〜図７と同一の構成要素については、同じ符号を付し、また、同一の処理については、同じステップ番号を付す。
【００４７】
エリア選択手段１０６を介して、統計情報を生成すべきエリアが選択されると、図９に示すように、水利情報の読出処理、建物の選択処理及び水利の有無の判定処理等が行われる（ステップＳ１１〜Ｓ１４）。水利が存在する場合には、複数の水利が存在するか否かが判定され（ステップＳ１６）、複数の水利が存在する場合には、すべての建物について、建物の重心位置と水利とを直線で結んだ直近の距離Ｄｅｓｔが算出される（ステップＳ１７）。
【００４８】
次いで、算出された距離Ｄｅｓｔが所定の距離Ｄｅｓｔ＿ｎ以下であるか否かが判定される（ステップＳ３１）。距離Ｄｅｓｔ＿ｎ以下である場合には、算出された距離Ｄｅｓｔの中から最短の距離が検索され、最短距離Ｄｅｓｔ＿ｔとして記憶装置１０３に保存される。
【００４９】
これに対し、算出された距離Ｄｅｓｔが所定の距離Ｄｅｓｔ＿ｎよりも大きい場合には、道路情報３０１が参照され、選択された建物の重心位置から水利までのルートが検索される（ステップＳ３２）。次いで、図１０に示すように、建物から道路までの距離３１０、水利から道路までの距離３１１及び道路長さ３１２が各々算出され、それらが加算されて、距離Ｄｅｓｔ＿ｒが算出される（ステップＳ３３）。その後、算出されたＤｅｓｔ＿ｒの中から最短の距離が検索され、最短距離Ｄｅｓｔ＿ｔとして記憶装置１０３に保存される。
【００５０】
また、存在する水利の数が１つである場合にも、算出された距離Ｄｅｓｔが所定の距離Ｄｅｓｔ＿ｎ以下であるか否かが判定され（ステップＳ３４）、所定の距離Ｄｅｓｔ＿ｎより大きいときには、道路情報３０１に基づいて距離Ｄｅｓｔ＿ｒが算出される（ステップＳ３５、Ｓ３６）。
【００５１】
ここで、算出された距離Ｄｅｓｔが所定の距離Ｄｅｓｔ＿ｎ以下である場合に、道路を利用したときの距離Ｄｅｓｔ＿ｒを算出しないのは、建物から水利までの距離が短ければ、道路を利用しなくても消火活動を行うことができる可能性が高いからである。すなわち、火災現場から消火栓等までの距離が短ければ、道路を用いずとも、消火ホースを水利まで運ぶことができ、また、消火栓等に繋いだ消火ホースが火災現場まで届く場合もある。こうした場合には、道路を用いたときの距離が特定されているよりも、水利までの直線距離が特定されている方が有効であるため、建物の近くに水利が設置されている場合には、建物の重心位置と水利とを直線で結んだ直近の距離Ｄｅｓｔを用いて、最短距離Ｄｅｓｔ＿ｔを特定するようにしている。
【００５２】
最短距離Ｄｅｓｔ＿ｔが算出されると、図４と同様にして、他の建物についても、最短距離Ｄｅｓｔ＿ｔの算出処理が行われるとともに、合計距離Ｄｅｓｔ＿ｊ及び平均距離Ｄｅｓｔ＿ａｖｅが算出され、統計情報が生成される（ステップＳ２１〜Ｓ２４）。
【００５３】
本実施の形態によれば、道路情報３０１に基づいて、建物の重心位置から水利までのルートが検索されて、道路を移動したときの距離Ｄｅｓｔ＿ｒが算出され、その算出した距離Ｄｅｓｔ＿ｒを用いて最短距離Ｄｅｓｔ＿ｔが算出されるため、実際に消火活動を行うときに必要な移動距離を正確に算出することが可能となり、実際の消火活動に適した水利勢力図を作成することが可能となる。
【００５４】
また、本実施の形態によれば、建物から水利までの距離Ｄｅｓｔが所定の距離Ｄｅｓｔ＿ｎ以下の場合には、ルート検索を行わず、建物の重心位置から水利までを結んだ直線上の距離Ｄｅｓｔを用いて、最短距離Ｄｅｓｔ＿ｔを算出するため、実際の消火活動に適した水利勢力図を作成することが可能となる。
【００５５】
以上、本発明の実施の形態を説明したが、本発明は、上記構成に限定されるものではなく、特許請求の範囲に記載された発明の範囲内で種々の変更が可能である。
【００５６】
例えば、上記の実施形態においては、指定されたエリアに存在するすべての建物について、水利との距離Ｄｅｓｔを算出するが、そのエリア内の建物が密集している区画においては、必ずしも、建物毎に距離Ｄｅｓｔを算出する必要はない。そのような区画がある場合には、例えば、建物が密集している部分を１つの建物とみなし、その部分の中心位置から水利までの距離を距離Ｄｅｓｔとすればよい。
【００５７】
また、上記の実施形態においては、合計距離Ｄｅｓｔ＿ｊと平均距離Ｄｅｓｔ＿ａｖｅの双方を出力装置１０４に表示するが、必ずしもそれらの双方を表示する必要はなく、平均距離Ｄｅｓｔ＿ａｖｅのみを表示するようにしてもよい。
【図面の簡単な説明】
【００５８】
【図１】本発明にかかる水利勢力図作成装置の第１の実施形態を示す全体構成図である。
【図２】水利勢力図の作成処理を説明するフローチャートである。
【図３】地図画像の一例を示す模式図である。
【図４】統計情報の生成処理を説明するフローチャートである。
【図５】統計情報の生成処理を説明する模式図である。
【図６】統計情報の生成処理を説明する模式図である。
【図７】水利勢力図の一例を示す模式図である。
【図８】本発明にかかる水利勢力図作成装置の第２の実施形態を示す全体構成図である。
【図９】統計情報の生成処理を説明するフローチャートである。
【図１０】統計情報の生成処理を説明する模式図である。
【符号の説明】
【００５９】
１００  水利勢力図作成装置
１０１  入力装置
１０２  データ処理装置
１０３  記憶装置
１０４  出力装置
１０５  地図表示手段
１０６  エリア選択手段
１０７  統計情報生成手段
１０８  統計情報表示手段
１０９  地図情報
１１０  水利情報
２００（２００Ａ〜２００Ｄ）  建物
２１０（２１０Ａ、２１０Ｂ）  水利
２２０（２２０Ａ〜２２０Ｃ）  建物
２３０（２３０Ａ）  水利
２４０  円範囲
３００  水利勢力図作成装置
３０１  道路情報
３０２  統計情報生成手段
３１０  建物から道路までの距離
３１１  水利から道路までの距離
３１２  道路長さ
【図１】
2008129551.tif 000003
【図２】
2008129551.tif 000004
【図３】
2008129551.tif 000005
【図４】
2008129551.tif 000006
【図５】
2008129551.tif 000007
【図６】
2008129551.tif 000008
【図７】
2008129551.tif 000009
【図８】
2008129551.tif 000010
【図９】
2008129551.tif 000011
【図１０】
2008129551.tif 000012